(57)【特許請求の範囲】
【請求項１】
内周面のコーナに円弧状部を有する角型の躯体の上方に内周面のコーナに円弧状部を有する角型の受枠を設置する際に使用される地下構造物用角型蓋の受枠設置用内型枠であって、
常時は帯状で使用時に角筒状に変形させることができる可撓性を有し、角筒状に変形させたとき、その外径が前記躯体および受枠の内径よりも僅かに径大になるような長さを備えるとともに、前記躯体と受枠の内周面のコーナに沿って湾曲させることが可能な程度の厚さを有する内枠と、
前記躯体と受枠のそれぞれの内周面に沿わせて添着された内枠の内側に装着され、弾性力によって内枠の少なくとも直線部を外方向に押圧する押圧部材と、
からなることを特徴とする地下構造物用角型蓋の受枠設置用内型枠。
【請求項２】
前記押圧部材は、前記内枠の内側に装着された状態では筒状に形成され、その外周面が前記内枠の４箇所の直線部に当接するように構成した請求項１に記載の地下構造物用角型蓋の受枠設置用内型枠。
【請求項３】
前記押圧部材は、互いに交差する２つの梁部を有し、それぞれの梁部は、弾性力によって伸縮可能とされるとともに、内枠へ装着していない状態ではその長さが内枠の対向する直線部間の間隔よりも長く形成され、内枠へ装着した状態ではその先端のそれぞれが内枠の直線部に当接するように構成した請求項１に記載の地下構造物用角型蓋の受枠設置用内型枠。
【請求項４】
前記梁部は、その先端のそれぞれにプレートを有する請求項３に記載の地下構造物用角型蓋の受枠設置用内型枠。
【請求項５】
内周面のコーナに円弧状部を有する角型の躯体の上方に所定間隔をおいて内周面のコーナに円弧状部を有する角型の受枠を設置し、前記躯体および受枠のそれぞれの内周面に、常時は帯状で使用時に角筒状に変形させることができる可撓性を有し、角筒状に変形させたとき、その外径が前記躯体および受枠の内径よりも僅かに径大になるような長さを備えるとともに、前記躯体と受枠の内周面のコーナに沿って湾曲させることが可能な程度の厚さを有する内枠を添着し、前記内枠の内側に内枠の少なくとも直線部を弾性力で外方向に押圧するように、弾性を有する押圧部材を装着し、前記躯体と受枠との間に生じる空隙部にセメントモルタルを注入し固化させる、
ことを特徴とする地下構造物用角型蓋の受枠設置方法。
【発明の詳細な説明】
【０００１】
【発明の属する技術分野】
本発明は、地下構造物としての下水道のマンホール側塊、上水道およびガスの地中弁室等の躯体の開口部上に、地下構造物用角型蓋の受枠を設置する際に使用する内型枠およびこの内型枠を使用した受枠設置方法に関するものである。
【０００２】
【従来の技術】
従来より、地下構造物用角型蓋の受枠を路面の高さに合わせて設置する際に使用する内型枠やこの内型枠を使用した受枠設置方法について、種々提案がなされている。
【０００３】
例えば、特開平５−２２２７３８号公報では、角型をしたマンホールの上部コンクリートブロツク及び上蓋枠１５の内周面に沿って、内型枠を配設している。この内型枠は、発泡ポリウレタンシート等からなる内枠２３と、その内枠２３に設けた締め付け治具３１とからなっており、この締め付け治具３１は、外側にクッション材を添着した角型の金属バンドフレーム３２を有し、この金属パンドフレーム３２の四隅部に、それぞれ金属バンドフレーム３２の隅部及び直線部を緊張させる張り機構（ターンバックル）３４を設けている。そして、該張り機構３４により金属バンドフレーム３２を緊張させた状態とし、上部コンクリートブロツクと上蓋枠１５との間にモルタル等を充填するようになっている。
【０００４】
【発明が解決しようとする課題】
しかし、上記従来の内型枠では、内枠２３の内周面側に設けた金属バンドフレーム３２の四隅部を張り機構３４で緊張させるようにしているため、施工時間が必要以上に長くなるという問題があった。しかも４ヶ所の張り機構３４を個々に調整する必要があることから、それぞれの張り機構３４の緊張のさせ方に差が生じやすく、この差が大きかったり、緊張不足の場合には上部コンクリートブロックと内型枠との間に隙間が生じ、そこからモルタルが漏れる虞があるため、施工の確実性の面からも問題があった。
【０００５】
本発明は上記に鑑みてなされたもので、受枠の設置を簡単かつ確実に行うことのできる地下構造物用角型蓋の受枠設置用内型枠および受枠設置方法を提供することを目的とする。
【０００６】
【課題を解決するための手段】
上記目的を達成するために、本発明の地下構造物用角型蓋の受枠設置用内型枠は、内周面のコーナに円弧状部を有する角型の躯体の上方に内周面のコーナに円弧状部を有する角型の受枠を設置する際に使用される地下構造物用角型蓋の受枠設置用内型枠であって、常時は帯状で使用時に角筒状に変形させることができる可撓性を有し、角筒状に変形させたとき、その外径が前記躯体および受枠の内径よりも僅かに径大になるような長さを備えるとともに、前記躯体と受枠の内周面のコーナに沿って湾曲させることが可能な程度の厚さを有する内枠と、前記躯体と受枠のそれぞれの内周面に沿わせて添着された内枠の内側に装着され、弾性力によって内枠の少なくとも直線部を外方向に押圧する押圧部材と、からなることを特徴としている。
【０００７】
このような構成としたことによって、角型の躯体および躯体の上方に配置した受枠のそれぞれの内周面に沿うように内枠を添着するとともに、内枠の少なくとも直線部を押圧部材の弾性力で外方向に押圧して内枠を躯体および受枠に押し付けることにより、躯体とその上方の受枠との間に形成される空隙部の内周側を内枠で簡単かつ確実に密閉することができる。
【０００８】
また、本発明の地下構造物用角型蓋の受枠設置方法は、内周面のコーナに円弧状部を有する角型の躯体の上方に所定間隔をおいて内周面のコーナに円弧状部を有する角型の受枠を設置し、前記躯体および受枠のそれぞれの内周面に、常時は帯状で使用時に角筒状に変形させることができる可撓性を有し、角筒状に変形させたとき、その外径が前記躯体および受枠の内径よりも僅かに径大になるような長さを備えるとともに、前記躯体と受枠の内周面のコーナに沿って湾曲させることが可能な程度の厚さを有する内枠を添着し、前記内枠の内側に内枠の少なくとも直線部を弾性力で外方向に押圧するように、弾性を有する押圧部材を装着し、前記躯体と受枠との間に生じる空隙部にセメントモルタルを注入し固化させる、ことを特徴としている。
【０００９】
この受枠の設置方法では、本発明の内型枠を用いて躯体に受枠を設置するので、躯体と受枠との間に生じる空隙部の内周側を内枠によって確実に密閉でき、この空隙部にセメントモルタルを注入しても、セメントモルタルが空隙部から内側に漏れることはない。また、内枠と押圧部材だけを用いるので部品点数が少なく、それらを装着するだけでよいので、極めて簡単な作業となる。
【００１０】
【発明の実施の形態】
本発明の地下構造物用角型蓋の受枠設置用内型枠では、押圧部材は、内枠の内側に装着された状態では筒状に形成され、その外周面が前記内枠の４箇所の直線部に当接するように構成したので、内枠に対する押圧部材の接触は、比較的広い領域で行われ、押圧部材はより強い力で内枠を躯体および受枠に押し付ける。
【００１１】
また、本発明の地下構造物用角型蓋の受枠設置用内型枠では、押圧部材を、互いに交差する２つの梁部を有するものとし、それぞれの梁部は、弾性力によって伸縮可能とされるとともに、内枠へ装着していない状態ではその長さが内枠の対向する直線部間の間隔よりも長く形成され、内枠へ装着した状態ではその先端のそれぞれが内枠の直線部に当接するように構成したので、各梁部は収縮した長さ分に応じた弾性力で、内枠の直線部を躯体および受枠に押し付ける。
【００１２】
さらに、前記梁部の先端のそれぞれにプレートを設けたので、梁部と内枠の直線部との接触面積が広がり、梁部はより確実に内枠を躯体および受枠に押し付ける。
【００１３】
【実施例】
以下、本発明の実施例を図面を参照して説明する。
【００１４】
図１は地下構造物上部に設置した角型の躯体と受枠とに本発明の内型枠を装着した状態を示す斜視図、図２は図１に示したものにさらに外型枠を装着した状態での図１のＡ−Ａ線による横断面図、図３は内型枠および外型枠の装着状況を示す縦断面図である。
【００１５】
この実施例に示した本発明の内型枠１は、地下構造物上部の角型をした躯体４および受枠５のそれぞれの内周面４ａ、５ａに沿うように添着される内枠２と、この内枠２の内側に装着され、弾性力によって内枠２を外方向に押圧する押圧部材３とから構成されている。
【００１６】
前記躯体４にはその上部フランジ４ｂの四隅にアンカーボルト４１…を立設している。一方、受枠５にはその下部フランジ５ｂの四隅と各直線部の中央にアンカー孔５１…を穿設している。そして、受枠５は、次の手順で躯体４の上方に設置される。先ず、躯体４のアンカーボルト４１のそれぞれに、図３に示すように、嵩調整具４２を螺合させて受枠５の上面が路面と一致するように設置高さを設定する。この嵩調整具４２には、その中央のボルト挿通孔（図示省略）にナット（図示省略）がインサート成形してあり、アンカーボルト４１との間で螺合位置を調整できるようになっている。次に、アンカーボルト４１をアンカー孔５１に挿通させ、受枠５を嵩調整具４２上に載置する。続いて、固定ブロック５２を差し込んで突部５２ａをアンカー孔５１の中に嵌め込むとともに、ナット５３をアンカーボルト４１に螺合して受枠５を嵩調整具４２上に固定する。その後、回転防止キャップ５４の孔にナット５３を嵌合させるとともに、回転防止キャップ５４を固定ブロック５２に係止させてナット５３の緩みを防止する。
【００１７】
このようにして、受枠５の嵩調整をして躯体４と受枠５との間に形成された空隙部６の内周側に内枠２を、また外周側には外枠７をそれぞれ躯体４と受枠５の内周面４ａ，５ａおよび外周面に添着し、空隙部６を密閉するようにしている。
【００１８】
前記内枠２は、常時は帯状で使用時に角筒状に変形させることができる可撓性を有するものであり、本実施例では発泡ポリエチレンの帯状材を用いた。この内枠２は、躯体４および受枠５の内径に合わせて角筒状に変形させたとき、その外径が躯体４および受枠５の内径よりも僅かに径大になるような長さとしており、空隙部６を確実に密閉できるようにしている。ただし、このような帯状の内枠２を躯体４および受枠５の内周面４ａ，５ａに沿って添着していくと、内枠２は全体的に圧縮された角筒状に変形するため、そのままでは内枠２の直線部２１が内側に迫り出した状態となりやすい。そこで、内枠２の内側に押圧部材３を装着し、内枠２の直線部２１を押圧することによって、内枠２を躯体４および受枠５の内周面４ａ，５ａに確実に添着するようにしている。
【００１９】
この押圧部材３は、前記内枠２と同様に、発泡ポリエチレンで形成され、常時は帯状で使用時に角筒状に変形させることができるようになっている。この帯状の押圧部材３を角筒状に変形させながら内枠２の内側に装着すると、押圧部材３はその弾性力で内枠２の４箇所の直線部２１…を外方向に押圧して、躯体４および受枠５に押し付ける。したがって、空隙部６の内周側は内枠２によって確実に密閉される。
【００２０】
なお、内枠２は躯体４および受枠５の内周面４ａ，５ａのコーナに沿って湾曲させることが可能な程度の厚さにして、空隙部６を確実に密閉できるようにしている。また、押圧部材３は、内枠２の直線部２１を確実に押圧することができるように、内枠２よりも厚くして復元力を大きくするとともに、内枠２の内側に装着可能な長さに形成している。
【００２１】
一方、外型枠１０は、空隙部６を外周側から密閉する外枠７と、外枠７の直線部７１に当接する当板８と、外枠７および当板８を固定する固定バンド９とから構成されている。前記外枠７は、内枠２や押圧部材３と同様に、発泡ポリエチレンで形成され、常時は帯状で使用時に角筒状に変形させることができるようになっており、使用時にはこの外枠７を躯体４の上部フランジ４ｂおよび受枠５の下部フランジ５ｂの各外周面４ｃ，５ｄに沿って角筒状に変形させながら添着する。外枠７の直線部７１…の各々には当板８…を当て、その当板８…を介して外枠７の全周を固定バンド９で固定する。したがって、空隙部６の外周側も外枠７によって確実に密閉される。
【００２２】
上記のようにして、空隙部６に内枠２と外枠７とを添着し空隙部６を密閉すると、最後に、受枠５のアンカーボルト４１が挿通されていないアンカー孔５１から、空隙部６に、無収縮性でかつ急硬性のセメントモルタル１１を注入し固化させ、その後、脱枠作業を行う。なお、無収縮性でかつ急硬性のセメントモルタル１１としては、例えばカルシウム・サルフォ・アルミネート系の膨張剤を含有する急硬性セメントを使用することができる。
【００２３】
この実施例では、上記のように、押圧部材３を内枠２の内側に装着して内枠２の直線部２１…を、押圧部材３自体の弾性力で外方向に押圧して躯体４および受枠５に押し付けるようにしたので、内枠２と押圧部材３とからなる内型枠１によって、空隙部６の内周側は確実に密閉される。したがって、この空隙部６にセメントモルタル１１を注入しても、セメントモルタル１１が空隙部６から内側に漏れることはなく、施工を確実に行うことができる。
【００２４】
さらに、内型枠１として、内枠２と押圧部材３だけを用いるので部品点数が少なく、しかもそれらをそれぞれ変形させて装着するだけでよいので、作業者によって施工に差がでるようなことはなく、またその装着作業や脱枠作業も極めて簡単に行うことができ、施工に要する時間を従来技術と比較して大幅に短縮することができる。
【００２５】
なお、上記の説明では、内枠２、押圧部材３および外枠７を発泡ポリエチレンで形成するようにしたが、内枠２および外枠７は、変形可能で密閉性を碓保でき、また押圧部材３は弾性力を有しておればどのようなものでも使用することが可能である。
【００２６】
また、内枠２、押圧部材３および外枠７を常時は帯状とし、使用時に角筒状に変形させるようにしたが、予め角筒状に形成したものを用いるようにしてもよい。
【００２７】
また、空隙部６の外周面側を外型枠１０で密閉するようにしたが、受枠周りの土砂を利用して密閉するようにしてもよい。
【００２８】
次に、本発明の内型枠の各種態様について、図４、図５を用いて順に説明する。
【００２９】
図４は本発明の第２実施例を示す図である。上記した第１実施例では、帯状の押圧部材３を角筒状に変形させながら内枠２の内側に装着させたが、この第２実施例では、十字状に形成しているところが相違する。すなわち、この第２実施例の押圧部材１０３は、上記第１実施例の押圧部材３と同様に発泡ポリエチレンで形成され、２つの細長い直方体状の梁部１３１、１３２を、その長さ方向中央に設けた凹部１３１ａ、１３２ａ同士を嵌合させることで十字状に交差させて構成したものである。各梁部１３１，１３２は、内枠２へ装着していない状態ではその長さが内枠２の対向する直線部２１，２１間の間隔よりも長くなるように形成され、内枠２の内側へ装着した状態ではその先端のそれぞれを内枠２の直線部２１…に弾性力で当接させるようになっている。各梁部１３１，１３２は収縮した長さ分に応じた弾性力で、内枠２の直線部２１…を外方向に押圧して内枠２を躯体４および受枠５に押し付けている。
【００３０】
この第２実施例では、上記第１実施例と同様の、内枠２による空隙部６の密閉性確保等の効果を奏するとともに、各梁部１３１，１３２を内枠２に単に当接させるだけでよいので、帯状の押圧部材を内枠２の内側に沿わせて角筒状に変形させる第１実施例の場合と比較して、作業性をより一層向上させることができる。
【００３１】
なお、第２実施例では、別体に形成した梁部１３１，１３２を十字状に合体させるようにしたが、別体でなく最初から十字状に一体成形する構成とすることもできる。
【００３２】
図５は本発明の第３実施例を示す図である。この第３実施例が、上記した第２実施例と相違するのは、伸縮自在棒を用いて各梁部を構成した点である。すなわち、この第３実施例の押圧部材２０３は、伸縮自在棒を用いた２つの梁部２３１，２３２を十字状に配置して構成されている。なお、２つの梁部２３１，２３２は、その長さが異なるのみで同一構成を有しているので、ここでは、一方の梁部２３１についてのみ説明することとする。
【００３３】
梁部２３１は、外筒２３１ａに内筒２３１ｂを遊嵌してなる棒状の筒部２３０と、その筒部２３０の両端、すなわち外筒２３１ａおよび内筒２３１ｂのそれぞれの先端に取り付けたプレート２３１ｃ，２３１ｄとから構成され、その筒部２３０の内部にはコイルバネ２３１ｅが挿入されて、梁部２３１は、全体として伸縮可能となっている。そして、内枠２へ装着していない状態では筒部２３０の長さは、内枠２の対向する直線部２１，２１間の間隔よりも長くなるように形成する。内枠２の内側に装着する際には、プレート２３１ｃ，２３１ｄを筒部中央へ押して筒部２３０を収縮させ、全体を内枠２の内側に入れ、その状態でプレート２３１ｃ、２３１ｄを内枠２の対応する直線部２１，２１に当接させる。梁部２３１はコイルバネ２３１ｅの収縮した長さ分に応じた弾性力で、内枠２のそれぞれの直線部２１を外方向に押圧して内枠２を躯体４および受枠５に押し付ける。
【００３４】
この第３実施例では、上記した第１実施例、第２実施例と同様の、内枠２による空隙部６の密閉性確保、作業性の向上等の効果を奏するとともに、梁部２３１の両端にプレート２３１ｃ，２３１ｄを設けたので、梁部２３１が棒状であっても、内枠２の直線部２１との接触面積を十分に確保することができ、確実に内枠２を躯体４および受枠５に押し付けることができるようになる。
【００３５】
なお、第３実施例では、筒部２３０の内部に挿入したコイルバネ２３１ｅの弾性力を利用する構成としたが、この構成に限らず、バネの弾性力を利用できる構成であればよく、例えばプレートに筒状の支持棒を固定し、その支持棒に挿入したコイルバネを他方の支持棒の外周に配置するといった構成であってもよい。
【００３６】
【発明の効果】
以上に説明したように、本発明の地下構造物用角型蓋の受枠設置用内型枠および受枠設置方法では、角型の躯体および受枠のそれぞれの内周面に添着される可撓性を有する内枠の内側に押圧部材を装着し、弾性力のある押圧部材で内枠の少なくとも直線部を外方向に押圧するようにしたため、内枠を躯体および受枠に押し付けることができ、躯体と受枠との間に形成される空隙部を内周面側から簡単かつ確実に密閉することができる。したがって、内周面側が密閉された空隙部にセメントモルタルを注入しても内周面側に漏れないため、受枠を確実に設置することができる。
【００３７】
また、押圧部材は、内枠の内側に装着された状態では筒状に形成され、その外周面が内枠の４箇所の直線部に当接するように構成したので、押圧部材は、比較的広い領域で内枠を押圧して確実に躯体および受枠に添着させることができる。また、部品点数が少なく、しかもそれらをそれぞれ変形させて装着するだけでよいので、作業を簡単かつ確実に行うことができる。
【００３８】
また、押圧部材を互いに交差する２つの梁部で構成し、それぞれの梁部は、弾性力によって伸縮可能とされるとともに、内枠へ装着していない状態ではその長さが内枠の対向する直線部間の間隔よりも長く形成され、内枠へ装着した状態ではその先端のそれぞれが内枠の直線部に当接するように構成したので、この場合はその２つの梁部を変形させて内枠に単に当接させるだけでよく、作業性をより一層向上させることができる。
【００３９】
さらに、押圧部材を２つの梁部で構成した場合、その梁部の先端のそれぞれにプレートを設けるようにしたので、内枠の直線部との接触面積を十分に確保することができ、この場合でも確実に内枠を躯体および受枠に押し付けることができるようになる。
【００４０】
【図面の簡単な説明】
【図１】地下構造物上部に設置した角型の躯体と受枠とに本発明の内型枠を装着した状態を示す斜視図である。
【図２】図１で示したものにさらに外型枠を装着した状態での図１のＡ−Ａ線による横断面図である。
【図３】内型枠および外型枠の装着状況を示す縦断面図である。
【図４】本発明の第２実施例を示す斜視図である。
【図５】本発明の第３実施例を示す斜視図である。
【符号の説明】
１    内型枠
２    内枠
２１    内枠の直線部
３    押圧部材
４    躯体
４ａ  躯体の内周面
４ｂ  躯体の上部フランジ
４ｃ  外周面
４１    アンカーボルト
４２    嵩調整具
５    受枠
５ａ  受枠の内周面
５ｂ  受枠の下部フランジ
５ｃ  受枠の開口部
５ｄ  外周面
５１    アンカー孔
５２    固定ブロック
５２ａ  突部
５３    ナット
５４    回転防止キャップ
６    空隙部
７    外枠
７１    外枠の直線部
８    当板
９    固定バンド
１０    外型枠
１１    セメントモルタル
１０３    押圧部材
１３１    梁部
１３２    梁部
１３１ａ  梁部の凹部
１３２ａ  梁部の凹部
２０３    押圧部材
２３０    筒部
２３１    梁部
２３２    梁部
２３１ａ  外筒
２３１ｂ  内筒
２３１ｃ  プレート
２３１ｄ  プレート
２３１ｅ  コイルバネ
【図１】
0003557357.tif 000002
【図２】
0003557357.tif 000003
【図３】
0003557357.tif 000004
【図４】
0003557357.tif 000005
【図５】
0003557357.tif 000006